(57)【要約】  【課題】ディスク搬送用のローラによって薄型化が妨げられることのない構造となるディスクプレーヤを提供することである。  【解決手段】ドライブメカユニット１００が外部筺体２００に弾性支持されると共に、ディスクＤＫの搬送用のローラ２０を備えたディスクプレーヤであって、ローラ２０をドライブメカユニット１００に連結し、クランプアームプレート１１０及びターンテーブル支持部材１２０の前記開放位置から前記チャッキング位置への接近動によってローラ２０を搬送位置からドライブメカユニット１００の厚み範囲内の待避位置に揺動させ、クランプアームプレート１１０及びターンテーブル支持部材１２０のチャッキング位置から前記開放位置への離間動によってローラ２０を前記待避位置から前記搬送位置に揺動復帰させる揺動機構（５０、５１、５２、１３５）を有する構成となる。【選択図】  図５
2006172658.tif 000002
【特許請求の範囲】
【請求項１】
クランパが設けられたクランパ支持部材とターンテーブルを回転自在に支持するターンテーブル支持部材とが前記クランパと前記ターンテーブルとによってディスクを挟むべきチャッキング位置と開放位置との間で相対的に接近動及び離間動するドライブメカユニットが外部筺体に弾性支持されると共に、前記クランパ支持部材及び前記ターンテーブル支持部材が開放位置にあるときに前記ドライブメカユニットのディスク挿入側端部前方の搬送位置にあってディスクの前記ドライブメカユニットへの引き込み及び前記ディスクの前記ドライブメカユニットからの排出を行なうローラを備えたディスクプレーヤであって、
前記ローラを前記ドライブメカユニットに連結し、前記クランパ支持部材及び前記ターンテーブル支持部材の前記開放位置から前記チャッキング位置への接近動に伴って前記ローラを前記搬送位置から前記ドライブメカユニットの厚み範囲内の待避位置に揺動させ、前記クランパ支持部材及び前記ターンテーブル支持部材の前記チャッキング位置から前記開放位置への離間動によって前記ローラを前記待避位置から前記搬送位置に揺動復帰させる揺動機構を有することを特徴とするディスクプレーヤ。
【請求項２】
前記揺動機構は、前記クランパ支持部材の前記ディスク挿入側端部の両側のそれぞれに回動自在に支持され、一端にて前記ローラを回転自在に支持する一対のレバーと、
前記ローラが前記搬送位置と前記待避位置との間で揺動するように前記一対のレバーのそれぞれを回動させる駆動機構とを有することを特徴とする請求項１記載のディスクプレーヤ。
【請求項３】
前記一対のレバーのそれぞれを回動させる駆動機構は、前記一対のレバーのそれぞれに設けられた被駆動部と、この被駆動部が圧接されるカム面を有し前記ドライブメカユニットに移動可能に設けられる駆動部材と、前記被駆動部が前記カム面に押圧されるように前記レバーを付勢するレバー付勢部材とを有し、前記クランパ支持部材及び前記ターンテーブル支持部材の前記開放位置と前記チャッキング位置との間での接近動及び離間動に伴う前記カム面に対する前記被駆動部の移動によって前記一対のレバーのそれぞれを回動させるようにした請求項２記載のディスクプレーヤ。
【請求項４】
前記一対のレバーのそれぞれは、第１腕と該第１腕に接続された第２腕とを有した略Ｌ字状の形状となり、前記第１腕の先端で前記ローラを回転自在に支持し、前記第２腕の先端で前記被駆動部を支持し、前記第１腕と第２腕との接続点が前記クランパ支持部材の前記ディスク挿入側端部の一方側に回動自在に支持されたことを特徴とする請求項３記載のディスクプレーヤ。
【請求項５】
前記搬送位置と待避位置とは、ディスクの引き込み及び排出方向において前記一対のレバーの回動支点を挟んで逆側に設定されていることを特徴とする請求項２または３または４記載のディスクプレーヤのローラ移動機構。
【発明の詳細な説明】
【技術分野】
【０００１】
本発明は、ＣＤ（コンパクトディスク）、ＤＶＤ（ディジタルバーサタイルディスク）等のディスクのドライブメカユニットへの引き込み及び前記ディスクのドライブメカユニットからの排出を行なうローラを備えたディスクプレーヤに関する。
【背景技術】
【０００２】
例えば、車載用のディスクプレーヤは、クランパを支持するクランプアームプレートとターンテーブルを回転自在に支持するターンテーブル支持部材とが前記クランパと前記ターンテーブルとによってディスクを挟むべきチャッキング位置と開放位置との間で相対的に接近動及び離間動するドライブメカユニットを備えている。そして、このドライブメカユニットは、ディスクプレーヤの外部筺体の振動が直接伝達することを防止するために外部筺体に弾性支持されている（防振機構）。
【０００３】
また、前記ディスクプレーヤは、前記クランプアームプレートと前記ターンテーブル支持部材とが開放位置にあるときに前記ドライブメカユニットのディスク挿入端部前方の搬送位置にあってディスクの前記ドライブメカユニットへの引き込み及び前記ディスクの前記ドライブメカユニットからの排出を行なうローラを備えている。このローラは、ディスクの引き込み及び排出を傾きなく行なうために、前記ドライブメカユニットの略全幅に相当する長さとなっている。
【０００４】
このような構造のディスクプレーヤでは、弾性支持されるドライブメカユニットに収容されたディスクが前記ドライブメカユニットの振動によって前記ローラに接触しないように、ドライブメカユニット内にディスクが引き込まれた後に、前記ローラを前記搬送位置から待避させる必要がある。従来、このローラを搬送位置から待避させる機構が提案されている（例えば、特許文献１参照）。
【０００５】
前記ローラを前記搬送位置から待避させる従来のローラ移動機構では、ドライブメカユニットの外部筺体に回転自在に支持されたローラが前記外部筺体に形成された案内溝に沿って前記搬送位置から前記ドライブメカユニットの下方の待避位置まで移動するようになっている。このようなローラ移動機構を備えるディスクプレーヤでは、ディスクが前記ローラによってドライブメカユニットに引き込まれた後には、前記ローラがドライブメカユニットの下方の待避位置に移動しているので、弾性支持されるドライブメカユニットが振動してもそのドライブメカユニットに収容されたディスクが前記ローラに接触することが回避されるようになる。
【特許文献１】特開平２００４−５５０４０号公報
【発明の開示】
【発明が解決しようとする課題】
【０００６】
しかしながら、前述したようなディスクプレーヤにおける従来のローラ移動機構では、ローラを外部筺体に弾性支持されたドライブメカユニットの下方に待避させるようになっているので、ディスクプレーヤ全体の厚さが大きくなる。また、前記ローラの待避位置は、前記ドライブメカユニットの振動ストロークを考慮して、ドライブメカユニットがローラに接触しないように設定しなければならず、更に、ディスクプレーヤの厚さが増大することになってしまう。
【０００７】
このようにディスクプレーヤにおける従来のローラ移動機構は、ディスクプレーヤの薄型化に対して必ずしも好ましいものとはなっていない。
【０００８】
本発明は、前述した従来の問題を解決するためになされたもので、ディスクのドライブメカユニットへの引き込み及び前記ディスクのドライブメカユニットからの排出を行なうローラによって薄型化が妨げられることのない構造となるディスクプレーヤを提供するものである。
【課題を解決するための手段】
【０００９】
本発明に係るディスクプレーヤは、クランパが設けられたクランパ支持部材とターンテーブルを回転自在に支持するターンテーブル支持部材とが前記クランパと前記ターンテーブルとによってディスクを挟むべきチャッキング位置と開放位置との間で相対的に接近動及び離間動するドライブメカユニットが外部筺体に弾性支持されると共に、前記クランパ支持部材及び前記ターンテーブル支持部材が開放位置にあるときに前記ドライブメカユニットのディスク挿入側端部前方の搬送位置にあってディスクの前記ドライブメカユニットへの引き込み及び前記ディスクの前記ドライブメカユニットからの排出を行なうローラを備えたディスクプレーヤであって、前記ローラを前記ドライブメカユニットに連結し、前記クランパ支持部材及び前記ターンテーブル支持部材の前記開放位置から前記チャッキング位置への接近動に伴って前記ローラを前記搬送位置から前記ドライブメカユニットの厚み範囲内の待避位置に揺動させ、前記クランパ支持部材及び前記ターンテーブル支持部材の前記チャッキング位置から前記開放位置への離間動によって前記ローラを前記待避位置から前記搬送位置に揺動復帰させる揺動機構を有する構成となる。
【００１０】
このような構成により、ローラがドライブメカユニットのディスク挿入側端部前方の搬送位置にあり、前記ドライブメカユニットのクランパ支持部材及びターンテーブル支持部材が開放位置にある状態で、前記ローラによってディスクが前記ドライブメカユニットに引き込まれる。そして、ディスクがドライブメカユニットに引き込まれた後に、前記クランパ支持部材及びターンテーブル支持部材が前記開放位置からチャッキング位置へ接近動して前記ディスクがクランパとターンテーブルに挟まれる際に、前記クランパ支持部材とターンテーブル支持部材との接近動によって揺動機構が前記ローラを前記搬送位置から前記ドライブメカユニットの厚み範囲内の待避位置まで揺動させる。一方、前記クランパ支持部材及びターンテーブル支持部材が前記チャッキング位置から前記開放位置へ離間動する際に、その離間動によって前記揺動機構が待避位置にある前記ローラを前記搬送位置に揺動復帰させる。この状態で、ドライブメカユニット内に収容されたディスクが前記ローラによって排出可能となる。
【００１１】
また、本発明に係るディスクプレーヤは、前記揺動機構が、前記クランパ支持部材の前記ディスク挿入側端部の両側のそれぞれに回動自在に支持され、一端にて前記ローラを回転自在に支持する一対のレバーと、前記ローラが前記搬送位置と前記待避位置との間で揺動するように前記一対のレバーのそれぞれを回動させる駆動機構とを有する構成とすることができる。
【００１２】
このような構成により、クランパ支持部材及びターンテーブル支持部材がチャッキング位置と開放位置との間で接近動及び離間動する際に、クランパ支持部材のディスク挿入側端部の両側のそれぞれに回動可能に支持された一対のレバーが前記クランパ支持部材及びターンテーブル支持部材の接近動及び離間動によって回動し、その結果、一対のレバーのそれぞれの一端に回転支持されたローラが前記搬送位置と前記待避位置との間で揺動させられる。
【００１３】
更に、本発明に係るディスクプレーヤは、前記一対のレバーのそれぞれを回動させる駆動機構が、前記一対のレバーのそれぞれに設けられた被駆動部と、この被駆動部が圧接されるカム面を有し前記ドライブメカユニットに移動可能に設けられる駆動部材と、前記被駆動部が前記カム面に押圧されるように前記レバーを付勢するレバー付勢部材とを有し、前記クランパ支持部材及び前記ターンテーブル支持部材の前記開放位置と前記チャッキング位置との間での接近動及び離間動に伴う前記カム面に対する前記被駆動部の移動によって前記一対のレバーのそれぞれを回動させるように構成することができる。
【００１４】
このような構成により、クランパ支持部材及びターンテーブル支持部材が開放位置とチャッキング位置との間での接近動及び離間動する際に、前記駆動部材に形成されたカム面が移動する。そのカム面の移動に伴った被駆動部の移動によって前記クランパ支持部材に回動自在に支持された各レバーが回動させられる。
【００１５】
また、本発明に係るディスクプレーヤは、前記一対のレバーのそれぞれは、第１腕と該第１腕に接続された第２腕とを有した略Ｌ字状の形状となり、前記第１腕の先端で前記ローラを回転自在に支持し、前記第２腕の先端で前記被駆動部を支持し、前記第１腕と第２腕との接続点が前記クランパ支持部材の前記ディスク挿入側端部の一方側に回動自在に支持された構成とすることができる。
【００１６】
このような構成により、略Ｌ字状のレバーの第２腕の先端に支持された被駆動部の前記カム面に押圧された状態での移動に伴って第１腕と第２腕との接続点を揺動支点として前記レバーが揺動する。その結果、前記レバーの第２腕の先端に回動自在に支持された前記ローラが前記搬送位置と前記待避位置との間で揺動させられる。
【００１７】
また、本発明に係るディスクプレーヤは、前記搬送位置と待避位置とが、ディスクの引き込み及び排出方向において前記一対のレバーの回動支点を挟んで逆側に設定されている構成とすることができる。
【００１８】
このような構成により、クランパ支持部材のディスク挿入側端部の両側のそれぞれに揺動支持された一対のレバーの揺動により、ドライブメカユニットのディスク挿入側端部の前方の搬送位置にあるローラを前記ディスク挿入側端部より内方（後方）の待避位置に移動させることができるようになる。
【発明の効果】
【００１９】
本発明に係るディスクプレーヤによれば、揺動機構によってローラがドライブメカユニットに連結されているので、該ドライブメカユニットとローラとの相対動がなくなり、弾性支持される前記ドライブユニットが振動しても該ドライブユニットがローラに接触することがない。また、チャッキング位置と開放位置との間で接近動及び離間動するクランパ支持部材とターンテーブル支持部材とによって構成されるドライブメカユニットの厚み範囲内の待避位置に前記ローラが揺動機構によって移動させられるので、外部筺体に弾性支持されるドライブメカユニットと前記外部筺体とのクリアランスは、前記ドライブメカユニットの振動ストロークだけを考慮して設定することができる。このため、本発明に係るディスクプレーヤは、そのローラによってその薄型化を妨げられるものとはならない。
【発明を実施するための最良の形態】
【００２０】
以下、本発明の実施の形態について、図面を用いて説明する。
【００２１】
本発明の実施の形態に係るディスクプレーヤは、図１乃至図１０に示すように構成される。図１乃至図５は、ディスクがローディング及びイジェクト可能な状態のディスクプレーヤの構造を示し、図６乃至図１０は、ディスクがターンテーブルとクランパによってチャッキングされた状態のディスクプレーヤの構造を示す。
【００２２】
図１乃至図１０において、外部筺体２００内にドライブメカユニット１００がダンパ１４やスプリング（図示略）等によって弾性支持された状態で収容されている。ドライブメカユニット１００と略同幅のガイドトッププレート１１が支持側板１２ａ、１２ｂに支持され、一体となったガイドトッププレート１１及び支持側板１２ａ、１２ｂがドライブメカユニット１００のディスク挿入側端部前方に配置されている。ガイドトッププレート１１は、ドライブメカユニット１００に固定されてこのドライブメカユニット１００と一体的に弾性支持されるようにしてもよく、または外部筺体２００側に取り付けられてもよい。
また、外部筺体２００の底部には、配線プリント基板等の設置されたプレート１３がガイドトッププレート１１に対向して配置されている。ＣＤ、ＤＶＤ等のディスクＤＫは、ガイドトッププレート１１とプレート１３との間を通ってドライブメカユニット１００に挿入され、また、ドライブメカユニット１００から排出される。
【００２３】
ドライブメカユニット１００は、クランプアームプレート１１０（クランパ支持部材）、ターンテーブル支持部材１２０、プレート支持トレイ１３０及びスライダ１４０ａ、１４０ｂを備えている。クランプアームプレート１１０の内面にはクランパ３０が回転自在に取り付けられている（図４参照）。ターンテーブル支持部材１２０にはスピンドルモータ４１が取り付けられ、スピンドルモータ４１の回転軸にターンテーブル４０が固定されている（図２及び図４参照）。これにより、ターンテーブル支持部材１２０は、ターンテーブル４０を回転自在に支持するものとなる。
【００２４】
クランプアームプレート１１０のディスク挿入側端部の両側にはレバー支持プレート１１１ａ、１１１ｂが形成され（図３、図５、図８及び図１０参照）、クランプアームプレート１１０の両側所定部位には支持板１１２ａが形成されている（図３、図５、図８参照）。なお、図面上、一方の支持板１１２ａしか表れていない。
【００２５】
各レバー支持プレート１１１ａ、１１１ｂのそれぞれには外方に突出する軸１１３が設けられており、その軸１１３にレバー５０が回転自在に支持されている（図３、図５、図８及び図１０参照）。レバー５０は、第１腕５０ａと第２腕５０ｂとが略Ｌ字状となるように接続した形状となり、第１腕５０ａと第２腕５０ｂとの接続点にて前述した軸１１３に支持されている（図５及び図１０参照）。レバー支持プレート１１１ａに支持されたレバー５０とレバー支持プレート１１１ｂに支持されたレバー５０との間にディスクＤＫ搬送用のローラ２０が配置され、ローラ２０の軸２０ａの各端部がレバー５０の第１腕５０ａの先端に回転自在に支持されている。また、レバー５０の第２腕５０ｂの先端にはカムローラ体（被駆動部）５１が回動自在に支持されている。なお、カムローラ体５１に代えて被駆動部としての固定ピンを設けてもよい。
【００２６】
クランプアームプレート１１０とターンテーブル支持部材１２０との間にプレート支持トレイ１３０（駆動部材）が配置されている。プレート支持トレイ１３０は、その両側端にトレイ側板１３０ａ、１３０ｂ（図３、図６、図７参照）が形成されている。トレイ側板１３０ａ、１３０ｂそれぞれのディスク挿入側端部にはカム面１３５が形成されており、そのカム面１３５に、前述したようにレバー５０に回転自在に支持されたカムローラ体５１が摺接している（図５、図１０参照）。トレイ側板１３０ａ、１３０ｂそれぞれのカム面５１近傍下端部には外方に突出する突起１３３が設けられ、突起１３３を挟んでカム面５１の逆側上端部に外方に突出する突起１３４が設けられている。突起１３３にはスプリング５２（レバー付勢部材）が装着され、スプリング５２の一端が突起１３４に引っ掛けられると共に、他端が、前述したようにレバー５０に支持されたカムローラ体５１をカム面１３５に圧接している。
【００２７】
クランプアームプレート１１０の支持板１１２ａは、プレート支持トレイ１３０の側端より外方に位置し、支持板１１２ａに対向するプレート支持トレイ１３０の所定部位に外方に突出するピン１３２が設けられている（図３、図５、図８及び図１０参照）。クランプアームプレート１１０の支持板１１２ａには孔（図示略）が形成されており、その孔に前述したピン１３２が遊嵌している。プレート支持トレイ１３０のディスク挿入側端部と逆側の端部所定部位には支持台１３６が形成されている。プレート支持トレイ１３０は、支持台１３６、ピン１３２及び各トレイ側板１３０ａ、１３０ｂに形成されたカム面１３５によってクランプアームプレート１１０を支持する。
【００２８】
プレート支持トレイ１３０は、トレイ側板１３０ａ、１３０ｂに設けられた突起１３４近傍の所定部位にてターンテーブル支持部材１２０に回動自在に支持されている（図示略）。これにより、その支持点を中心にしてプレート支持トレイ１３０が揺動可能となる
【００２９】
プレート支持トレイ１３０の各トレイ側板１３０ａ、１３０ｂより外側であって更にクランプアームプレート１１０の支持板１１２ａより外側にドライブメカユニット１００の前後方向に延びるスライダ１４０ａ、１４０ｂが配置されている（図３、図５、図６、図７、図８及び図１０参照）。各スライダ１４０ａ、１４０ｂの前方部及び後方部には、後方に下がるように傾斜したガイド孔１４１、１４２が形成されている。前述したようにプレート支持トレイ１３０から突出してクランプアームプレート１１０の支持板１１２ａの孔に遊嵌するピン１３２が各スライダ１４０ａ、１４０ｂのガイド孔１４２に遊嵌している。また、プレート支持トレイ１３０の各トレイ側板１３０ａ、１３０ｂの所定部位には外方に突出するピン１３１が設けられ、このピン１３１が各スライダ１４０ａ、１４０ｂのガイド孔１４１に遊嵌している。
【００３０】
なお、各スライダ１４０ａ、１４０ｂの外面にはラックが形成されており（図示略）、該ラックが外部筺体２００に取り付けられたモータで駆動されるピニオンに噛合っている（図示略）。前記モータの動作によって各スライダ１４０ａ、１４０ｂはドライブメカユニット１００の前後方向に移動可能となる。
【００３１】
前述したような構造のディスクプレーヤでは、次のようにしてディスクＤＫのローディング及びイジェクトがなされる。
【００３２】
まず、ディスクＤＫのローディングがなされる際に、ディスクプレーヤは図１乃至図５に示す状態にある。この状態では、各スライダ１４０ａ、１４０ｂが後方所定位置にある。このとき、プレート支持トレイ１３０から突出してクランプアームプレート１１０の支持板１１２ａを貫通するピン１３２が斜めに傾くガイド孔１４２の上側端部に位置し、プレート支持トレイ１３０の各トレイ側板１３０ａ、１３０ｂから突出するピン１３１が斜めに傾くガイド孔１４１の上側端部に位置している。これにより、プレート支持トレイ１３０は、ターンテーブル支持部材１２０との支持点を中心にしてディスク挿入側端部が下がり、その反対側端部が上がった状態となっている。
【００３３】
このように斜めに傾くプレート支持トレイ１３０の各トレイ側板１３０ａ、１３０ｂのディスク挿入側端部に形成されたカム面１３５に押圧されたカムローラ体５１が下死点にあり、レバー５０の第１腕５０ａに支持されたローラ２０がドライブメカユニット１００のディスク挿入側端部前方の搬送位置となる。そして、斜めに傾くプレート支持トレイ１３０の各トレイ側板１３０ａ、１３０ｂのカム面１３５、ピン１３２及び支持台１３６によって支持されたクランプアームプレート１１０は略水平状態となっている。
【００３４】
この状態で、クランプアームプレート１１０及びターンテーブル支持部材１２０は互いに離間した開放位置にあり、クランプアームプレート１１０に設けられたクランパ３０とターンテーブル支持部材１２０に回転自在に支持されたターンテーブル４０とは図４に示すように離間した状態となる。
【００３５】
このように、ローラ２０がドライブメカユニット１００のディスク挿入側端部前方の搬送位置にあり、クランプアームプレート１１０及びターンテーブル支持部材１２０が開放位置にある状態で、ガイドトッププレート１１とプレート１３との間に挿入されたディスクＤＫは、ガイドトッププレート１１とローラ２０との間に挟持され、ローラ２０の回転によりドライブメカユニット１００内のクランパ３０とターンテーブル４０との間に引き込まれる。そして、ディスクＤＫがチャッキング位置に達したことが検出されると、各スライダ１４０ａ、１４０ｂの駆動モータが起動され、各スライダ１４０ａ、１４０ｂが前記後方所定位置から前方所定位置に移動する。
【００３６】
前記各スライダ１４０ａ、１４０ｂの前方所定位置への移動の過程で、ガイド孔１４１に遊嵌するピン１３１とガイド孔１４２に遊嵌するピン１３２とが各ガイド孔１４１、１４２に沿って下方に押し下げられる。これにより、プレート支持トレイ１３０は、ターンテーブル支持部材１２０との支持点を中心にしてディスク挿入側端部が徐々に上がり、その反対側端部が徐々に下がっていく。プレート支持トレイ１３０の前記ディスク挿入側端部とは反対側の端部の下降動作とピン１３２、１３１の下降動作によって支持台１３６及びピン１３２にて支持されるクランプアームプレート１１０が水平状態を維持しつつターンテーブル支持部材１２０に近づいていく（近接動）。
【００３７】
また、プレート支持トレイ１３０の前記ディスク挿入側端部の上昇動作によってカム面１３５に押圧されたカムローラ体５１が上方に押し上げられる。それによって、第１腕５０ａがドライブメカユニット１００側に向けて回動するように、レバー５０が軸１１３を中心にして回動する。そのレバー５０の回動に伴って、搬送位置にあったローラ２０が待避位置に向けて揺動する。
【００３８】
そして、各スライダ１４０ａ、１４０ｂが前方所定位置に到達すると、図１０に示すように、プレート支持トレイ１３０から突出してクランプアームプレート１１０の支持板１１２ａを貫通するピン１３２がガイド孔１４２の下側端部に達し、プレート支持トレイ１３０の各トレイ側板１３０ａ、１３０ｂから突出するピン１３１がガイド孔１４１の下側端部に達する。この状態で、プレート支持トレイ１３０が略水平となり、プレート支持トレイ１３０に支持されるクランプアームプレート１１０は水平状態を維持しつつ最下位置に固定される。これにより、クランプアームプレート１１０及びターンテーブル支持部材１２０はチャッキング位置となり、図９に示すように、クランプアームプレート１１０に設けられたクランパ３０とターンテーブル支持部材１２０に回転自在に支持されたターンテーブル４０とがディスクＤＫを挟み込む（チャッキング）。その後、スピンドルモータ４１によってターンテーブル４０、ディスクＤＫ、クランパ３０が一体的に回転駆動され、図示しないピックアップによりディクスＤＫに記録された情報が再生され、またはディスクＤＫに対して情報の書き込み動作が行われる。
【００３９】
また、プレート支持トレイ１３０の各トレイ側板１３０ａ、１３０ｂに形成されたカム面１３５に押圧されるカムローラ体５１が上死点に達し、レバー５０の回動により揺動されるローラ２０がドライブメカユニット１００内の待避位置に達する。ローラ２０の待避位置はドライブユニット１００の厚み範囲内となるように、レバー５０の支持点位置（軸１１３の位置）、第１腕５０ａの長さ等が設定されている。
【００４０】
図６乃至図１０に示すように、ディスクＤＫがローディングされた状態のディスクプレーヤから当該ディスクＤＫがイジェクトされる場合には、各スライダ１４０ａ、１４０ｂが前方所定位置から後方所定位置に移動する。その過程で、プレート支持トレイ１３０が前述したローディングの際の動作と逆の動作を行う。即ち、プレート支持トレイ１３０は、ターンテーブル支持部材１２０との支持点を中心にしてディスク挿入側端部が徐々に下がり、その反対側端部が徐々に上がっていく。プレート支持トレイ１３０の前記ディスク挿入側端部とは反対側の端部の上昇動作とピン１３２、１３１の上昇動作によって支持台１３６及びピン１３２にて支持されるクランプアームプレート１１０が水平状態を維持しつつターンテーブル支持部材１２０から離れていく（離間動）。
【００４１】
また、プレート支持トレイ１３０の前記ディスク挿入側端部の下降動作によってカム面１３５に押圧されたカムローラ５１が下方に押し下げられる。それによって、第１腕５０ａがターンテーブル支持部材１２０から離れるようにレバー５０が軸１１３を中心にして回動する。そのレバー５０の回動に伴って、待避位置にあったローラ２０が搬送位置に向けて揺動復帰する。
【００４２】
そして、各スライダ１４０ａ、１４０ｂが後方所定位置に達すると、図１乃至図５に示す状態となる。即ち、クランプアームプレート１１０及びターンテーブル支持部材１２０が開放位置となり（図４参照）、クランパ３０とターンテーブル４０とが離間した状態となって、ディスクＤＫがクランパ３０とターンテーブル４０とによるチャッキング状態から開放される。また、レバー５０に支持されるカムローラ５１がディスク挿入側端部前方の搬送位置となる。この状態で、ディスクＤＫはガイドトッププレート１１とローラ２０とで挟持されており、ローラ２０の回転により、ディスクＤＫがドライブメカユニット１００からイジェクトされる。
【００４３】
前述したようなディスクプレーヤでは、ローラ２０がレバー５０を主要な部材とする揺動機構によってクランプアームプレート１１０に連結されているので、待避位置にあるローラ２０とドライブメカユニット１００（クランプアームプレート１１０）との相対動が無くなり、外部筺体２００に弾性支持されたドライブメカユニット１００が振動しても、その振動時に前記待避位置にあるローラ２０がドライブメカユニット１００に衝突することがない。また、クランプアームプレート１１０及びターンテーブル支持部材１２０がチャッキング位置となるときに、ローラ２０がドライブメカユニット１００の厚み範囲内の待避位置となるので、外部筺体２００に弾性支持されるドライブメカユニット１００と外部筺体２００とのクリアランスは、ドライブメカユニット１００の振動ストロークだけを考慮して設定することができる。これにより、ディスクＤＫのドライブメカユニット１００への引き込み及びドライブメカユニット１００からの排出を行なうローラ２０によってディスクプレーヤの薄型化が妨げられることがない。
【００４４】
更に、クランプアームプレート１１０とターンテーブル支持部材１２０のチャッキング位置と開放位置との間の近接動及び離間動に基づいた揺動機構（レバー５０、カムローラ５１、スプリング５２、カム面１３５）の動きによってローラ２０が搬送位置と待避位置との間で揺動するので、ローラ２０を揺動させるための駆動源を別途設ける必要がない。
【００４５】
また、クランプアームプレート１１０のディスク挿入側端部に回動自在に支持されるレバー５０に設けられたローラ２０の搬送位置と待避位置とが、ディスクＤＫの引き込み及び排出方向において、レバー５０の回動支持点（軸１１３）を挟んで逆側に設定されているので、搬送位置がドライブメカユニット１００のディスク挿入側端部の前方にあっても、その待避位置をドライブメカユニット１００の内部に設定することが可能となる。逆に、ローラ２０はその搬送位置が待避位置よりもディスク挿入側端部の前方側に位置しているので、ディスクＤＫのイジェクト時にドライブメカユニット１００からのディスクＤＫの排出量を充分に確保できる。
【００４６】
なお、前述した例では、レバー５０に設けられるカムローラ体５１が摺接するカム面１３５はプレート支持トレイ１３０の各トレイ側板１３０ａ、１３０ｂの先端部分に形成されたが、前記カム面の形成された駆動部材をドライブメカユニット１００に別途設けることも可能である。この場合、カム面が形成される部材は、クランプアームプレート１１０とターンテーブル支持部材１２０との近接動及び離間動に伴って動作するものとなる。
【産業上の利用可能性】
【００４７】
以上、説明したように、本発明に係るディスクプレーヤは、ディスクのドライブメカユニットへの引き込み及び前記ディスクのドライブメカユニットからの排出を行なうローラによって薄型化が妨げられない構造となるので、ＣＤ（コンパクトディスク）、ＤＶＤ（ディジタルバーサタイルディスク）等のディスクプレーヤとして有用である。
【図面の簡単な説明】
【００４８】
【図１】本発明の実施の形態に係るディスクプレーヤの構造を示す斜視図（その１）である。
【図２】本発明の実施の形態に係るディスクプレーヤの構造を示す一部破断斜視図（その１）である。
【図３】本発明の実施の形態に係るディスクプレーヤにおけるドライブメカユニットの構造を示す斜視図（その１）である。
【図４】本発明の実施の形態に係るディスクプレーヤを示す側面図（その１）である。
【図５】本発明の実施の形態に係るディスクプレーヤにおけるドライブメカユニットの側面図（その１）である。
【図６】本発明の実施の形態に係るディスクプレーヤの構造を示す斜視図（その２）である。
【図７】本発明の実施の形態に係るディスクプレーヤの構造を示す一部破断斜視図（その２）である。
【図８】本発明の実施の形態に係るディスクプレーヤにおけるドライブメカユニットの構造を示す斜視図（その２）である。
【図９】本発明の実施の形態に係るディスクプレーヤを示す側面図（その２）である。
【図１０】本発明の実施の形態に係るディスクプレーヤにおけるドライブメカユニットの側面図（その２）である。
【符号の説明】
【００４９】
１１  ガイドトッププレート
１２ａ、１２ｂ  支持側板
１３  プレート
１４  ダンパ
２０  ローラ
３０  クランパ
４０  ターンテーブル
４１  スピンドルモータ
５０  レバー
５０ａ  第１腕
５０ｂ  第２腕
５１  カムローラ体
５２  スプリング
１００  ドライブメカユニット
１１０  クランプアームプレート
１１１ａ、１１１ｂ  レバー支持プレート
１１２ａ  支持板
１１３  軸
１２０  ターンテーブル支持部材
１３０  プレート支持トレイ
１３０ａ、１３０ｂ  トレイ側板
１３１、１３２  ピン
１３３、１３４  突起
１３５  カム面
１３６  支持台
１４０ａ、１４０ｂ  スライダ
１４１、１４２  ガイド孔
２００  外部筺体
【図１】
2006172658.tif 000003
【図２】
2006172658.tif 000004
【図３】
2006172658.tif 000005
【図４】
2006172658.tif 000006
【図５】
2006172658.tif 000007
【図６】
2006172658.tif 000008
【図７】
2006172658.tif 000009
【図８】
2006172658.tif 000010
【図９】
2006172658.tif 000011
【図１０】
2006172658.tif 000012